(57)【要約】【課題】複数種の塗料を用いて重ね刷りを行う印刷装置における誤印刷を防止する。【解決手段】情報処理装置３は、第１の塗料を用いた第１の印刷処理を行う第１の印刷機構と、第２の塗料を用いた第２の印刷処理を行う第２の印刷機構とを備える印刷装置を制御する。情報処理装置３は、ユーザの操作に基づいて第１の印刷処理と第２の印刷処理とを実行する順序を示す印刷順序を設定する手段と、印刷順序を含む設定情報に基づいて印刷ジョブを生成する手段と、第１の印刷機構と第２の印刷機構との位置関係を示すデバイス情報を取得する手段と、印刷順序とデバイス情報とに基づいて、印刷ジョブを１パス印刷により実行可能か否かを判断する手段と、１パス印刷の可否を示す情報をユーザに通知する手段と、を備える。【選択図】図１０
2019078846.tif 000002
【特許請求の範囲】
【請求項１】
第１の塗料を用いた第１の印刷処理を行う第１の印刷機構と、第２の塗料を用いた第２の印刷処理を行う第２の印刷機構とを備える印刷装置を制御する印刷制御装置であって、
ユーザの操作に基づいて前記第１の印刷処理と前記第２の印刷処理とを実行する順序を示す印刷順序を設定する設定手段と、
前記印刷順序に基づいて印刷ジョブを生成する生成手段と、
前記第１の印刷機構と前記第２の印刷機構との位置関係を示すデバイス情報を取得する取得手段と、
前記印刷順序と前記デバイス情報とに基づいて前記印刷ジョブを１パス印刷により実行可能か否かを判断する判断手段と、
前記１パス印刷の可否を示す情報を前記ユーザに通知する通知手段と、
を備える印刷制御装置。
【請求項２】
前記第１の塗料は、カラー印刷を実現するための塗料であり、
前記第２の塗料は、前記第１の塗料以外の塗料である、
請求項１に記載の印刷制御装置。
【請求項３】
前記設定手段は、前記印刷順序を視覚的に表現する画像をユーザインターフェースに表示する、
請求項１又は２に記載の印刷制御装置。
【請求項４】
前記印刷順序と前記デバイス情報とに基づいて、複数の前記印刷装置の中から前記印刷ジョブを前記１パス印刷により実行可能な前記印刷装置を検索する検索手段、
を更に備え、
前記通知手段は、前記印刷ジョブを前記１パス印刷により実行可能な前記印刷装置に関する情報を前記ユーザに通知する、
請求項１〜３のいずれか１項に記載の印刷制御装置。
【請求項５】
前記設定手段は、前記１パス印刷が不可能である場合に、複数パス印刷を実行するか否かを前記ユーザに選択させるための処理を行い、
前記生成手段は、前記複数パス印刷を実行する選択がなされた場合に、パス毎に前記印刷ジョブを生成する、
請求項１〜４のいずれか１項に記載の印刷制御装置。
【請求項６】
前記印刷装置は、印刷済みの媒体に対して所定の後処理を行う後処理機構を更に備え、
前記設定手段は、前記ユーザの操作に基づいて前記後処理に関する後処理設定を行い、
前記生成手段は、前記複数パス印刷を実行する場合に、複数の前記印刷ジョブのうち最後に実行される前記印刷ジョブにおいてのみ前記後処理設定に基づく前記後処理が行われるように前記印刷ジョブを生成する、
請求項５に記載の印刷制御装置。
【請求項７】
前記設定手段は、前記ユーザの操作に基づいて前記第１の塗料及び前記第２の塗料の複数の色から指定された指定色のみを印刷する分版印刷に関する分版設定を行い、
前記生成手段は、前記指定色のみが印刷されるように前記印刷ジョブを生成する、
請求項１〜６のいずれか１項に記載の印刷制御装置。
【請求項８】
印刷装置と、前記印刷装置を制御する印刷制御装置とがネットワークを介して接続された印刷システムであって、
前記印刷装置は、
第１の塗料を用いた第１の印刷処理を行う第１の印刷機構と、
第２の塗料を用いた第２の印刷処理を行う第２の印刷機構と、
を備え、
前記印刷制御装置は、
ユーザの操作に基づいて前記第１の印刷処理と前記第２の印刷処理とを実行する順序を示す印刷順序を設定する設定手段と、
前記印刷順序に基づいて印刷ジョブを生成する生成手段と、
前記第１の印刷機構と前記第２の印刷機構との位置関係を示すデバイス情報を取得する取得手段と、
前記印刷順序と前記デバイス情報とに基づいて、前記印刷ジョブを１パス印刷により実行可能か否かを判断する判断手段と、
前記１パス印刷の可否を示す情報を前記ユーザに通知する通知手段と、
を備える、
印刷システム。
【請求項９】
第１の塗料を用いた第１の印刷処理を行う第１の印刷機構と、第２の塗料を用いた第２の印刷処理を行う第２の印刷機構とを備える印刷装置を制御する印刷制御方法であって、
ユーザの操作に基づいて前記第１の印刷処理と前記第２の印刷処理とを実行する順序を示す印刷順序を設定する工程と、
前記印刷順序に基づいて印刷ジョブを生成する工程と、
前記第１の印刷機構と前記第２の印刷機構との位置関係を示すデバイス情報を取得する工程と、
前記印刷順序と前記デバイス情報とに基づいて、前記印刷ジョブを１パス印刷により実行可能か否かを判断する工程と、
前記１パス印刷の可否を示す情報を前記ユーザに通知する工程と、
を含む印刷制御方法。
【請求項１０】
第１の塗料を用いた第１の印刷処理を行う第１の印刷機構と、第２の塗料を用いた第２の印刷処理を行う第２の印刷機構とを備える印刷装置を制御するコンピュータに、
ユーザの操作に基づいて前記第１の印刷処理と前記第２の印刷処理とを実行する順序を示す印刷順序を設定する処理と、
前記印刷順序に基づいて印刷ジョブを生成する処理と、
前記第１の印刷機構と前記第２の印刷機構との位置関係を示すデバイス情報を取得する処理と、
前記印刷順序と前記デバイス情報とに基づいて、前記印刷ジョブを１パス印刷により実行可能か否かを判断する処理と、
前記１パス印刷の可否を示す情報を前記ユーザに通知する処理と、
を実行させるプログラム。
【発明の詳細な説明】
【技術分野】
【０００１】
本発明は、印刷制御装置、印刷システム、印刷制御方法、及びプログラムに関する。
【背景技術】
【０００２】
ＰＯＤ（Print  On  Demand）市場等において、特に高画質な画像を形成することが求められる場合がある。このような要求に応えるため、ＣＭＹＫ等の通常塗料を用いた印刷（通常印刷）を行う通常プロセスユニットと、透明色、白色、光沢色等の特色塗料（特殊塗料）を用いた印刷（特色印刷）を行う特色プロセスユニットとを備える印刷装置が利用されている。このような印刷装置によれば、特色塗料を通常塗料の下地として印刷したり（特色先刷り）、特色塗料を通常塗料のコーティング層として印刷したり（特色後刷り）することが可能となり、特色塗料の性質を利用した高画質な画像を形成することが可能となる。
【０００３】
例えば、ＣＭＹＫトナーを用いた印刷を行う印刷装置と、特色トナー（特殊トナー）を用いた印刷を行う印刷装置とを含むシステムにおいて、一方の印刷装置が印刷データを解析して他方の印刷装置による処理が必要であるか否かを判断し、他方の印刷装置による処理が必要である場合には自他どちらの処理を先に行うかを判断し、先に処理を行うべき印刷装置から先に印刷処理が行われるように印刷データの転送、保存等を行う構成が開示されている（特許文献１）。
【発明の概要】
【発明が解決しようとする課題】
【０００４】
通常塗料と特色塗料とを利用した印刷を行う場合、ユーザは特色塗料による所望の効果が得られるように、通常印刷と特色印刷とを実行する順序を示す印刷順序（特色先刷り、特色後刷り等）を設定する。このとき、通常印刷を行う通常プロセスユニットと特色印刷を行う特色プロセスユニットとの両方を内蔵した印刷装置を用いる場合、ユーザは通常プロセスユニットと特色プロセスユニットとの位置関係に応じて設定を調整する必要がある。例えば、特色プロセスユニットが通常プロセスユニットより用紙の搬送方向下流側に配置されている場合、特色後刷りを行う際には１パス印刷を行うように設定することができるが、特色先刷りを行う際には２パス印刷を行うように設定しなければならない。１パス印刷とは、１回の印刷処理で印刷を完了させる印刷方法である。２パス印刷とは、同じ用紙に２回の印刷処理を行うことで印刷を完了させる印刷方法である。すなわち、当該印刷装置を用いて特色先刷りを行う場合、１パス目で特色プロセスユニットによる特色印刷のみを行い、２パス目で通常プロセスユニットによる通常印刷のみを行うように設定する必要がある。
【０００５】
しかし、従来のシステムにおいては、印刷装置内における通常プロセスユニットと特色プロセスユニットとの位置関係がユーザにとって不明である場合が多い。そのため、ユーザは適切な設定を行うことができない場合がある。例えば、特色プロセスユニットが通常プロセスユニットより用紙の搬送方向下流側に配置されている印刷装置を利用して特色先刷りを行う場合には、上記のように２パス印刷を行うように設定する必要がある。しかし、ユーザが両プロセスユニットの位置関係を正確に把握していないと、１パス印刷を行うよう設定してしまう可能性がある。このような誤設定が行われると、ユーザの意図とは異なる（特色塗料による所望の効果が得られない）誤印刷が行われてしまう。
【０００６】
本発明は、上記に鑑みてなされたものであって、複数種の塗料を用いて重ね刷りを行う印刷装置における誤印刷を防止することを目的とする。
【課題を解決するための手段】
【０００７】
上述した課題を解決し、目的を達成するために、本発明の一形態は、第１の塗料を用いた第１の印刷処理を行う第１の印刷機構と、第２の塗料を用いた第２の印刷処理を行う第２の印刷機構とを備える印刷装置を制御する印刷制御装置であって、ユーザの操作に基づいて前記第１の印刷処理と前記第２の印刷処理とを実行する順序を示す印刷順序を設定する設定手段と、前記印刷順序に基づいて印刷ジョブを生成する生成手段と、前記第１の印刷機構と前記第２の印刷機構との位置関係を示すデバイス情報を取得する取得手段と、前記印刷順序と前記デバイス情報とに基づいて、前記印刷ジョブを１パス印刷により実行可能か否かを判断する判断手段と、前記１パス印刷の可否を示す情報を前記ユーザに通知する通知手段と、を備えることを特徴とする。
【発明の効果】
【０００８】
本発明によれば、複数種の塗料を用いて重ね刷りを行う印刷装置における誤印刷を防止することが可能となる。
【図面の簡単な説明】
【０００９】
【図１】図１は、実施形態に係る印刷システムの全体構成を例示する図である。
【図２】図２は、実施形態に係る印刷装置のハードウェア構成を例示するブロック図である。
【図３】図３は、実施形態に係る情報処理装置のハードウェア構成を例示するブロック図である。
【図４】図４は、実施形態に係る第１の印刷装置の内部構造を例示する概略図である。
【図５】図５は、実施形態に係る第２の印刷装置の内部構造を例示する概略図である。
【図６】図６は、実施形態に係る第１の印刷装置及び第２の印刷装置のプロセスユニットの位置関係と印刷結果との対応関係を例示する図である。
【図７】図７は、実施形態に係る印刷装置の機能構成を例示するブロック図である。
【図８】図８は、実施形態に係る第１の印刷装置のデバイス情報のデータ構造を例示する図である。
【図９】図９は、実施形態に係る第２の印刷装置のデバイス情報のデータ構造を例示する図である。
【図１０】図１０は、実施形態に係る情報処理装置の機能構成を例示するブロック図である。
【図１１】図１１は、実施形態の第１の例に係る印刷設定画面を例示する図である。
【図１２】図１２は、実施形態の第２の例に係る印刷設定画面を例示する図である。
【図１３】図１３は、実施形態に係る印刷順序を示す情報のデータ構造を例示する図である。
【図１４】図１４は、実施形態に係るプリンタドライバが１パス印刷の可否を示すメッセージを表示するまでの処理を例示するシーケンス図である。
【図１５】図１５は、実施形態に係る印刷可否判断部による１パス印刷可否判断処理を例示するフローチャートである。
【図１６】図１６は、実施形態に係るプリンタドライバが印刷装置に印刷ジョブを送信するまでの処理を例示するシーケンス図である。
【図１７】図１７は、実施形態に係る印刷ジョブ出力部によるジョブ種類判定処理を例示するフローチャートである。
【図１８】図１８は、実施形態に係るジョブチケット生成部によるジョブチケット生成処理を例示するフローチャートである。
【図１９】図１９は、実施形態に係る分版印刷設定画面を例示する図である。
【図２０】図２０は、実施形態に係る分版印刷設定情報のデータ構成を例示する図である。
【発明を実施するための形態】
【００１０】
以下に添付図面を参照して、印刷制御装置、印刷システム、印刷制御方法、及びプログラムの実施形態を詳細に説明する。以下の実施形態によって本発明が限定されるものではなく、以下の実施形態における構成要素には当業者が容易に想到できるもの、実質的に同一のもの、及びいわゆる均等の範囲のものが含まれる。以下の実施形態の要旨を逸脱しない範囲で構成要素の種々の省略、置換、変更、及び組み合わせを行うことができる。
【００１１】
図１は、実施形態に係る印刷システム１の全体構成を例示する図である。印刷システム１は、印刷装置２Ａ，２Ｂ、情報処理装置３（印刷制御装置）、及びネットワーク４を含む。本例に係る印刷システム１は、複数種のトナー（塗料）を用いて比較的高画質な画像を形成することを目的とするシステムである。
【００１２】
印刷装置２Ａ，２Ｂは、情報処理装置３から送信される印刷ジョブに基づいて用紙（媒体）上に画像を形成する装置である。本例に係る両印刷装置２Ａ，２Ｂは、トナーを用いて用紙上に画像を形成するレーザプリンタであるが、印刷装置の形態はこれに限られるものではない。例えば、インクジェット方式の印刷装置等が用いられていてもよい。
【００１３】
情報処理装置３は、ユーザの操作に基づいて印刷装置２Ａ，２Ｂを制御するための処理を行うコンピュータであり、例えばＰＣ（Personal  Computer）、タブレット端末、スマートフォン等であり得る。情報処理装置３は、印刷対象となる画像データ、ユーザにより設定された設定内容等に基づいて印刷ジョブを生成し、印刷ジョブを印刷装置２Ａ，２Ｂに送信する。
【００１４】
ネットワーク４は、印刷装置２Ａ，２Ｂと情報処理装置３との間で通信を可能にするコンピュータネットワークである。ネットワーク４は、例えば、Ｅｔｈｅｒｎｅｔ（登録商標）、Ｗｉ−Ｆｉ（登録商標）等の通信手段を利用して構築されるＬＡＮ（Local  Area  Network）であり得る。また、ネットワーク４は、ルータ等を介してインターネット上の情報処理装置と通信を行うものであってもよい。
【００１５】
図２は、実施形態に係る印刷装置２Ａ，２Ｂのハードウェア構成を例示するブロック図である。印刷装置２Ａ，２Ｂは、ＣＰＵ（Central  Processing  Unit）１１、ＲＡＭ（Random  Access  Memory）１２、ＲＯＭ（Read  Only  Memory）１３、不揮発性メモリ１４、通信Ｉ／Ｆ（Interface）１５、ユーザＩ／Ｆ１６、給紙ユニット１７、排紙ユニット１８、フィニッシャ１９（後処理機構）、通常プロセスユニット２１（第１の印刷機構）、及び特色プロセスユニット２２（第２の印刷機構）を含む。
【００１６】
ＣＰＵ１１は、ＲＯＭ１３に記憶されているプログラムに従い、ＲＡＭ１２をワーキングエリアとして使用して各種演算処理を行う１つ又は複数の集積回路である。不揮発性メモリ１４は、印刷装置２Ａ，２Ｂの電源をＯＦＦにしてもデータを保持する半導体記憶素子であり、印刷処理を行うための各種データを記憶する。通信Ｉ／Ｆ１５は、ネットワーク４を介して情報処理装置３等と通信を可能にするデバイスである。ユーザＩ／Ｆ１６は、ユーザの操作を受け付け、ユーザに対して各種情報を提供するデバイスであり、例えばディスプレイ、タッチパネル、キーボード、スピーカ等から構成される。
【００１７】
給紙ユニット１７は、画像が形成される用紙を印刷装置２Ａ，２Ｂ内に取り込む機構であり、給紙トレイ、搬送ベルト、駆動ローラ等から構成される。排紙ユニット１８は、印刷済みの用紙を印刷装置２Ａ，２Ｂ外に排出する機構であり、排紙トレイ、搬送ベルト、駆動ローラ等から構成される。フィニッシャ１９は、印刷済みの用紙に後処理を行う機構であり、例えばステープル機能、ソート機能等を有するものである。
【００１８】
通常プロセスユニット２１は、通常色トナー（第１の塗料）を用いた通常印刷（第１の印刷処理）を行う機構である。通常色トナーとは、例えばカラー印刷を実現するために必要なトナー（例えばＣＭＹＫトナー、ＲＧＢトナー等）であり得る。通常色トナーはこれに限られるものではなく、例えばモノクロ印刷を実現するために必要なトナー（例えば黒色トナー）等であってもよい。何を通常色トナーとするかは使用状況に応じて適宜決定されるべき事項である。本実施形態においては、ＣＭＹＫトナーを通常色トナーとする例を示す。
【００１９】
特色プロセスユニット２２は、特色トナー（第２の塗料）を用いた特色印刷（第２の印刷処理）を行う機構である。特色トナーとは、通常色トナー以外のトナーであり、例えば、透明色、白色、光沢色（金色、銀色等）等のトナーであり得る。特色トナーは、印刷物の画質（品質）を向上させるために使用されるものであり、例えば、通常色トナーの下地を整えたり、通常色トナー上にコーティング層を形成したりする。何を特色トナーとするかは使用状況に応じて適宜決定されるべき事項である。本実施形態においては、白色トナーを特色トナーとする例を示す。
【００２０】
図３は、実施形態に係る情報処理装置３のハードウェア構成を例示するブロック図である。情報処理装置３は、ＣＰＵ３１、ＲＡＭ３２、ＲＯＭ３３、ＨＤＤ３４、通信Ｉ／Ｆ３５、及びユーザＩ／Ｆ３６を含む。ＣＰＵ３１は、ＲＯＭ３２又はＨＤＤ３３に記憶されたプログラムに従い、ＲＡＭ３２をワーキングエリアとして使用して各種演算処理を行う１つ又は複数の集積回路である。ＨＤＤ３４は、不揮発性メモリとして機能する記憶装置であり、印刷処理を行うための各種データを記憶する。通信Ｉ／Ｆ３５は、ネットワーク４を介して印刷装置２Ａ，２Ｂ等と通信を可能にするデバイスである。ユーザＩ／Ｆ３６は、ユーザの操作を受け付け、ユーザに対して各種情報を提供するデバイスであり、例えばディスプレイ、キーボード、タッチパネル、ポインティングデバイス、スピーカ等から構成される。
【００２１】
図４は、実施形態に係る第１の印刷装置２Ａの内部構造を例示する概略図である。図５は、実施形態に係る第２の印刷装置２Ｂの内部構造を例示する概略図である。両印刷装置２Ａ，２Ｂは、通常プロセスユニット２１及び特色プロセスユニット２２を備えている。本例に係る通常プロセスユニット２１は、Ｃ（シアン）トナーを用いた印刷処理を行うＣプロセスユニット２１Ａ、Ｍ（マゼンタ）トナーを用いた印刷処理を行うＭプロセスユニット２１Ｂ、Ｙ（イエロー）トナーを用いた印刷処理を行うＹプロセスユニット２１Ｃ、及びＫ（キー・プレート）トナーを用いた印刷処理を行うＫプロセスユニット２１Ｄから構成されている。本例に係る特色プロセスユニット２２は、Ｗ（ホワイト）トナーを用いた印刷処理を行うプロセスユニットである。
【００２２】
第１の印刷装置２Ａにおいては、特色プロセスユニット２２が通常プロセスユニット２１より用紙の搬送方向下流側に配置されている。そのため、第１の印刷装置２Ａにおいては、特色印刷を通常印刷より後に行う「特色後刷り」を１パス印刷で行うことができるが、特色印刷を通常印刷より先に行う「特色先刷り」は複数パス印刷（少なくとも２パス印刷）で行う必要がある。一方、第２の印刷装置２Ｂにおいては、特色プロセスユニット２２が通常プロセスユニット２１より用紙の搬送方向上流側に配置されている。そのため、第２の印刷装置２Ｂにおいては、「特色先刷り」を１パス印刷で行うことができるが、「特色後刷り」は複数パス印刷（少なくとも２パス印刷）で行う必要がある。なお、１パス印刷とは、１回の印刷処理で印刷を完了させる印刷方法であり、本実施形態においては、印刷装置２Ａ，２Ｂ内に用紙を１回通過させることで目的の印刷物を生成する印刷方法である。複数パス印刷とは、同じ用紙に複数回の印刷処理を行うことで印刷を完了させる印刷方法であり、本実施形態においては、印刷装置２Ａ，２Ｂ内に用紙を複数回通過させることで目的の印刷物を生成する印刷方法である。
【００２３】
図６は、実施形態に係る第１の印刷装置２Ａ及び第２の印刷装置２Ｂのプロセスユニット２１，２２の位置関係と印刷結果との対応関係を例示する図である。
【００２４】
第１の印刷装置２Ａの通常プロセスユニット２１（２１Ａ〜２１Ｄ）及び特色プロセスユニット２２は、図４及び図６に示すように、用紙の搬送方向に沿ってＫ→Ｃ→Ｍ→Ｙ→Ｗの順に配置されている。このような第１の印刷装置２Ａにおいて、印刷方法として「１パス印刷」が設定された場合には、印刷結果は必然的に「特色後刷り」となる。このように、第１の印刷装置２Ａにおいては、１パス印刷で特色先刷りを行うことは不可能であるという制約がある。また、第１の印刷装置２Ａにおいて、印刷方法として、１ジョブ目にＷを印刷し２ジョブ目にＣＭＹＫを印刷する「２パス印刷」が設定された場合には、「特色先刷り」を行うことができる。しかし、このような２パス印刷を行う場合には、１ジョブ目終了後（特色印刷後）に用紙を給紙ユニット１７に再セットする必要があるという制約がある。
【００２５】
第２の印刷装置２Ｂの通常プロセスユニット２１（２１Ａ〜２１Ｄ）及び特色プロセスユニット２２は、図５及び図６に示すように、用紙の搬送方向に沿ってＷ→Ｃ→Ｍ→Ｙ→Ｋの順に配置されている。このような第２の印刷装置２Ｂにおいて、印刷方法として「１パス印刷」が設定された場合には、印刷結果は必然的に「特色先刷り」となる。このように、第２の印刷装置２Ｂにおいては、１パス印刷でＣＭＹＫの先刷り（特色後刷り）を行うことは不可能であるという制約がある。また、第２の印刷装置２Ｂにおいて、印刷方法として、１ジョブ目にＣＭＹＫを印刷し２ジョブ目にＷを印刷する「２パス印刷」が設定された場合には、「特色後刷り」を行うことができる。しかし、このような２パス印刷を行う場合には、１ジョブ目終了後（ＣＭＹＫ印刷後）に用紙を給紙ユニット１７に再セットする必要があるという制約がある。
【００２６】
図７は、実施形態に係る印刷装置２Ａ，２Ｂの機能構成を例示するブロック図である。印刷装置２Ａ，２Ｂは、デバイス情報管理部１０１、情報通信部１０２、及び印刷処理部１０３を含む。
【００２７】
デバイス情報管理部１０１は、デバイス情報１１１を記憶する。デバイス情報１１１は、自機（印刷装置２Ａ，２Ｂ）の特徴を示す情報であり、通常プロセスユニット２１（２１Ａ〜２１Ｄ）及び特色プロセスユニット２２の位置関係を含んでいる。デバイス情報１１１は、位置関係以外の情報を含んでもよい。デバイス情報管理部１０１は、ＣＰＵ１１、ＲＯＭ１３、不揮発性メモリ１４等の協働により構成される。
【００２８】
図８は、実施形態に係る第１の印刷装置２Ａのデバイス情報１１１のデータ構造を例示する図である。図９は、実施形態に係る第２の印刷装置２Ｂのデバイス情報１１１のデータ構造を例示する図である。本例に係るデバイス情報１１１は、印刷装置２Ａ，２Ｂのモデル名を示すモデル名欄１２１、フィニッシャ１９の機能（ステープル及びパンチ）を示すフィニッシャ機能欄１２２、利用可能なトナーの種類を示すトナー種類欄１２３、プロセスユニットの配置順（プロセスユニット１〜５）を示す位置関係欄１２４、及びユーザにより入力された情報（例えば、使用する用紙の種類等）を示す入力情報欄１２５を含む。
【００２９】
位置関係欄１２４の末尾の数字（１〜５）は、各プロセスユニット２１Ａ〜２１Ｄ，２２の配置順を示しており、その数が小さいほど搬送方向上流側に位置することを示している。すなわち、図８に示す第１の印刷装置２Ａのデバイス情報１１１の位置関係欄１２４は、ＣＭＹＫトナーを用いて印刷処理を行う通常プロセスユニット２１（Ｋプロセスユニット２１Ｄ、Ｃプロセスユニット２１Ａ、Ｍプロセスユニット２１Ｂ、及びＹプロセスユニット２１Ｃ）がＷトナーを用いて印刷を行う特色プロセスユニット２２より上流側に配置されていることを示している。図９に示す第２の印刷装置２Ｂのデバイス情報１１１の位置関係欄１２４は、Ｗトナーを用いて印刷を行う特色プロセスユニット２２がＣＭＹＫトナーを用いて印刷処理を行う通常プロセスユニット２１（Ｃプロセスユニット２１Ａ、Ｍプロセスユニット２１Ｂ、Ｙプロセスユニット２１Ｃ、及びＫプロセスユニット２１Ｄ）より上流側に配置されていることを示している。
【００３０】
情報通信部１０２は、ネットワーク４を介して情報処理装置３との間で印刷処理に必要な各種情報の送受信を行う。情報通信部１０２は、情報処理装置３からの要求に応じてデバイス情報１１１を情報処理装置３に送信し、情報処理装置３から送信された印刷ジョブを受信する。情報通信部１０２は、ＣＰＵ１１、通信Ｉ／Ｆ１５等の協働により構成される。
【００３１】
印刷処理部１０３は、情報通信部１０２により受信された印刷ジョブに基づいて印刷処理を行う。印刷処理部１０３は、ＣＰＵ１１、給紙ユニット１７、通常プロセスユニット２１、特色プロセスユニット２２、排紙ユニット１８、フィニッシャ１９等の協働により構成される。
【００３２】
図１０は、実施形態に係る情報処理装置３の機能構成を例示するブロック図である。情報処理装置３は、印刷に関する各種処理を行うプリンタドライバ２０１を含む。プリンタドライバ２０１は、設定部２１１、印刷可否判断部２１２、代替デバイス判断部２１３（検索手段）、デバイス情報取得部２１４、ジョブチケット生成部２１５、印刷ジョブ出力部２１６、及び印刷設定データベース２１９を含む。
【００３３】
設定部２１１は、ユーザの操作に基づいて印刷に関する各種設定を行う。設定部２１１は、ユーザＩ／Ｆ（ディスプレイ、キーボード等）３６を介してユーザの操作を受け付け、操作内容に基づいて設定情報を生成する。設定情報は、出力先デバイスとして指定された印刷装置２Ａ，２Ｂを示す情報、後述する印刷順序を示す情報等を含む。設定情報は、これらの他に、用紙サイズ、用紙方向、印刷枚数、拡大／縮小サイズ、余白、分版色等を示す情報を含んでもよい。設定情報は、印刷設定データベース２１９に格納される。設定部２１１は、ＣＰＵ３１、ユーザＩ／Ｆ３６等の協働により構成される。印刷設定データベース２１９は、ＣＰＵ３１、ＨＤＤ３４、ＲＡＭ（不揮発性ＲＡＭ）３２等の協働により構成される。
【００３４】
設定部２１１は、印刷順序設定部２２１を含む。印刷順序設定部２２１は、ユーザの操作に基づいて、通常プロセスユニット２１による通常印刷（ＣＭＹＫトナーを用いた印刷処理）と特色プロセスユニット２２による特色印刷（Ｗトナーを用いた印刷処理）とを実行する順序を示す印刷順序を設定する。印刷順序は、例えば、特色を通常色より先に印刷する特色先刷り、特色を通常色より後に印刷する特色後刷り等である。設定部２１１は、設定された印刷順序を示す情報を含む設定情報を生成する。
【００３５】
デバイス情報取得部２１４は、印刷装置２Ａ，２Ｂのデバイス情報１１１を取得する。デバイス情報取得部２１４は、例えば、印刷装置２Ａ，２Ｂに対して要求信号を送信し、当該要求信号の応答として印刷装置２Ａ，２Ｂから送信されたデバイス情報１１１を受信する。デバイス情報取得部２１４は、ＣＰＵ３１、通信Ｉ／Ｆ３５等の協働により構成される。なお、デバイス情報１１１の取得方法は、印刷装置２Ａ，２Ｂから受信することに限られるものではない。例えば、デバイス情報１１１を情報処理装置３の記憶装置（ＲＯＭ３３又はＨＤＤ３４）、ネットワーク４に接続された適宜な記憶装置等に予め記憶しておき、必要に応じて読み出すようにしてもよい。
【００３６】
印刷可否判断部２１２は、印刷順序設定部２２１により設定された印刷順序と、デバイス情報取得部２１４により取得されたデバイス情報１１１とに基づいて、設定された印刷順序の印刷ジョブが１パス印刷により実行可能か否かを判断する。例えば、ユーザが第１の印刷装置２Ａを用いて特色先刷りを行うように設定した場合、印刷可否判断部２１２は、設定された印刷順序の印刷ジョブは１パス印刷では実行できないと判断する。第１の印刷装置２Ａの特色プロセスユニット２２は通常プロセスユニット２１より用紙の搬送方向下流側に配置されているからである。印刷可否判断部２１２は、ＣＰＵ３１、ＲＡＭ３２等の協働により構成される。
【００３７】
代替デバイス判断部２１３は、印刷順序設定部２２１により設定された印刷順序と、ネットワーク４に接続された複数の印刷装置２Ａ，２Ｂの各デバイス情報１１１とに基づいて、設定された印刷順序の印刷ジョブを１パス印刷により実行可能な印刷装置２Ａ，２Ｂを判断する。例えば、ユーザが第１の印刷装置２Ａを用いて特色先刷りを行うように設定した場合、代替デバイス判断部２１３は、設定された印刷順序の印刷ジョブを１パス印刷で実行可能な代替デバイスは第２の印刷装置２Ｂであると判断する。第２の印刷装置２Ｂの特色プロセスユニット２２は通常プロセスユニット２１より用紙の搬送方向上流側に配置されているからである。代替デバイス判断部２１３は、ＣＰＵ３１、ＲＡＭ３２等の協働により構成される。
【００３８】
設定部２１１は、通知部２２２を含む。通知部２２２は、上記のような印刷可否判断部２１２及び代替デバイス判断部２１３の判断結果をユーザに通知する。すなわち、本実施形態に係る通知部２２２は、ユーザが印刷設定を行う際に、設定した印刷順序の印刷ジョブが１パス印刷で実行可能か否かを示す情報、１パス印刷が不可能である場合には１パス印刷が可能な代替デバイスに関する情報等をユーザに通知する。このような通知部２２２による情報の通知は、例えば情報処理装置３のディスプレイ（ユーザＩ／Ｆ３６）に表示されるＧＵＩ（Graphical  User  Interface）を介して行うことができる。これにより、ユーザは通知部２２２から通知される情報を参照して適切な設定を行うことが可能となる。通知部２２２は、ＣＰＵ３１、ユーザＩ／Ｆ３６等の協働により構成される。
【００３９】
ジョブチケット生成部２１５は、設定部２１１により設定された印刷設定の内容を示すジョブチケットを生成する。ジョブチケット生成部２１５は、ＣＰＵ３１、ＲＡＭ３２等の協働により構成される。
【００４０】
印刷ジョブ出力部２１６は、ユーザから印刷開始を要求する操作がなされた場合に、ジョブチケット生成部２１５からジョブチケットを取得し、ＰＤＬ（Page  Description  Language）データにジョブチケットを付加した印刷ジョブを生成し、印刷ジョブを出力先の印刷装置２Ａ，２Ｂに送付する。印刷ジョブ出力部２１６は、ＣＰＵ３１、ＲＡＭ３２、通信Ｉ／Ｆ３５等の協働により構成される。
【００４１】
図１１は、実施形態の第１の例に係る印刷設定画面３０１を例示する図である。印刷設定画面３０１は、ユーザが印刷設定を行う際に情報処理装置３のディスプレイに表示されるＧＵＩの例である。本例に係る印刷設定画面３０１は、印刷順序設定部３１１、プレビュー部３１２、ガイドメッセージ表示部３１３、及び複数パス可否設定部３１４を含む。
【００４２】
印刷順序設定部３１１は、印刷順序を設定するためのユーザの操作を受け付ける部分である。本例では、複数の層（本例では２層）の各層で使用するトナーを、プルダウン形式により表示される候補の中からユーザが選択できるようになされている。選択可能なトナーの候補は、出力先の印刷装置２Ａ，２Ｂにセットされているトナーの種類に応じて決定されるものであり、例えば通常色（本例ではＣＭＹＫ）、特色（本例では白）、なし等であり得る。図１１に示す例では、１層目（印刷順１）のトナー種類として白トナーが選択され、２層目（印刷順２）のトナー種類としてＣＭＹＫトナーが選択されている。すなわち、特色先刷りを行うように設定されている。ここで設定された印刷順序は、印刷設定情報の一部として印刷設定データベース２１９に格納される。
【００４３】
プレビュー部３１２は、印刷順序の設定内容を視覚的に表現する部分である。本例では、通常色（ＣＭＹＫ）トナーを用いた通常印刷が実線で示され、特色（白）トナーを用いた特色印刷が破線で示されている。本例に係るプレビュー部３１２には、用紙上に特色印刷→通常印刷の順で印刷処理が行われることを示す画像が表示されている。プレビュー部３１２は印刷順序設定部３１１と連動しており、プレビュー部３１２の画像は印刷順序設定部３１１に入力された設定内容に応じて変化する。
【００４４】
ガイドメッセージ表示部３１３は、設定された印刷順序が出力先の印刷装置２Ａ，２Ｂにおいて１パス印刷により実行可能か否かを示すメッセージを表示する。本例では、出力先として第１の印刷装置２Ａが指定されているものとする。第１の印刷装置２Ａの特色プロセスユニット２２は通常プロセスユニット２１より下流側に配置されており（図４等参照）、印刷順序設定部３１１において設定された印刷順序は特色先刷りであるため、ガイドメッセージ表示部３１３には１パス印刷が不可能である旨のメッセージ３２１が表示されている。なお、出力先として第２の印刷装置２Ｂが指定され、特色先刷りが設定されている場合には、ガイドメッセージ表示部３１３には１パス印刷が可能である旨のメッセージが表示される。
【００４５】
また、本例に係るガイドメッセージ表示部３１３には、１パス印刷が可能な代替デバイス（本例では第２の印刷装置２Ｂ）に関するメッセージ３２２が表示されている。当該代替デバイスに関する情報は、代替デバイス判断部２１３による判断結果に基づいて取得される。本例では、代替デバイスに接続する方法（ポート設定を代替デバイスに対応するＩＰアドレスに変更すること）が示されている。
【００４６】
また、本例に係るガイドメッセージ表示部３１３には、２パス印刷を許可する方法を示すメッセージ３２３が表示されている。また、印刷設定画面３０１には、２パス印刷を許可する操作を受け付ける複数パス可否設定部３１４が設けられている。ユーザは、２パス印刷を許可する場合には複数パス可否設定部３１４のチェックボックスにチェックを入れる操作を行う。このような操作により生成される２パス印刷の可否を示す情報は、印刷設定の一部として印刷設定データベース２１９に格納される。なお、ここでは複数パスとして２パスを例示しているが、３パス以上であってもよい。例えば、印刷順序設定部３１１において３層以上の印刷順序が設定された場合、プレビュー部３１２、ガイドメッセージ表示部３１３、及び複数パス可否設定部３１４の内容は、３パス以上に対応する内容となる。また、複数パス可否設定部３１４は、１パス印刷が可能である場合には表示されない。
【００４７】
図１２は、実施形態の第２の例に係る印刷設定画面３０１を例示する図である。本例に係る印刷設定画面３０１は、特色（白）トナーを用いた特色印刷を行わないように設定した場合の例である。
【００４８】
本例では、印刷順序設定部３１１の１層目（印刷順１）のトナー種類として「なし」が選択され、２層目（印刷順２）のトナー種類として「ＣＭＹＫ」が選択されている。これに伴い、プレビュー部３１２において、１層目に対応する部分に線が表示されておらず、ＣＭＹＫによる通常印刷のみを行うことが視覚的に表現されている。このように特色印刷を行わない場合には、特色プロセスユニット２２の配置位置に関わらず（印刷装置２Ａ，２Ｂのどちらが出力先であるかに拘わらず）１パス印刷が可能であるため、ガイドメッセージ表示部３１３には１パス印刷が可能である旨のメッセージ３３１が表示される。
【００４９】
図１３は、実施形態に係る印刷順序３５１を示す情報のデータ構造を例示する図である。本例に係る印刷順序３５１は、用紙上の層を示す印刷順とトナー種類とが対応付けられた構造を有している。本例に係る印刷順序３５１の内容は、上記印刷順序設定部３１１に入力された設定内容と対応している。
【００５０】
図１４は、実施形態に係るプリンタドライバ２０１が１パス印刷の可否を示すメッセージを表示するまでの処理を例示するシーケンス図である。ユーザが情報処理装置３のユーザＩ／Ｆ３６（印刷設定画面３０１）を介して印刷順序を設定する操作を行うと（Ｓ１０１）、設定部２１１は印刷順序設定部２２１に対し、ユーザの操作を受け付けるように要求する（Ｓ１０２）。当該要求を受信した印刷順序設定部２２１は、ユーザの操作内容に対応する印刷順序３５１を示す情報を印刷設定データベース２１９に保存する（Ｓ１０３）。
【００５１】
その後、設定部２１１は印刷可否判断部２１２に対し、出力先の印刷装置２Ａ，２Ｂが１パス印刷可能か否かを判断するように要求する（Ｓ１１１）。当該要求を受信した印刷可否判断部２１２は、デバイス情報取得部２１４に対し、出力先の印刷装置２Ａ，２Ｂのデバイス情報１１１を取得するように要求する（Ｓ１１２）。当該要求を受信したデバイス情報取得部２１４は、出力先の印刷装置２Ａ，２Ｂの情報通信部１０２に対し、デバイス情報１１１を送信するように要求する（Ｓ１１３）。当該要求を受信した情報通信部１０２は、デバイス情報管理部１０１からデバイス情報１１１を取得し、要求元の情報処理装置３に送信する（Ｓ１１４）。
【００５２】
その後、印刷可否判断部２１２は、印刷設定データベース２１９から印刷設定に含まれる印刷順序３５１を取得し（Ｓ１１５）、取得した印刷順序３５１と受信したデバイス情報１１１に含まれる位置関係とに基づいて、１パス印刷が可能か否かを判断する（Ｓ１１６）。
【００５３】
１パス印刷可能な場合、通知部２２２は、印刷設定画面３０１のガイドメッセージ部３１３に１パス印刷が可能である旨のメッセージ３３１を表示する（Ｓ１２１）。
【００５４】
１パス印刷不可能な場合、設定部２１１は、代替デバイス判断部２１３に対し、代替デバイス（１パス印刷可能な印刷装置２Ａ，２Ｂ）を検索するように要求する（Ｓ１３１）。当該要求を受信した代替デバイス判断部２１３は、デバイス情報取得部２１４に対し、ネットワーク４に接続している全ての印刷装置２Ａ，２Ｂのデバイス情報１１１を取得するように要求する（Ｓ１３２）。当該要求を受信したデバイス情報取得部２１４は、各印刷装置２Ａ，２Ｂの情報通信部１０２に対し、デバイス情報１１１を送信するように要求する（Ｓ１３３）。当該要求を受信した各情報通信部１０２は、デバイス情報管理部１０１からデバイス情報１１１を取得し、要求元の情報処理装置３に送信する（Ｓ１３４）。その後、印刷可否判断部２１２は、印刷順序３５１と各印刷装置２Ａ，２Ｂから受信したデバイス情報１１１に含まれる位置関係とに基づいて、印刷装置２Ａ，２Ｂ毎に１パス印刷可能か否かを判断する（Ｓ１３５）。代替デバイス判断部２１３は、印刷可否判断部２１２による判断結果に基づいて、１パス印刷可能な代替デバイスの有無及び代替デバイスの機種を判断する（Ｓ１３６）。
【００５５】
代替デバイスが存在し、出力先デバイス（１パス印刷不可能な印刷装置２Ａ，２Ｂ）と代替デバイスとが同機種である場合、通知部２１１は、印刷設定画面３０１のガイドメッセージ部３１３に、代替デバイスのＩＰアドレス、ポート設定にてＩＰアドレスを変更すれば現在のプリンタドライバ２０１を継続して使用できる旨等のメッセージを表示する（Ｓ１４１）。
【００５６】
代替デバイスが存在し、出力デバイスと代替デバイスとが別機種である場合、通知部２２２は、印刷設定画面３０１のガイドメッセージ部３１３に、代替デバイスのＩＰアドレス、代替デバイスを使用する場合には現在のプリンタドライバを継続して利用できない旨、新たなプリンタドライバを使用可能にする方法等のメッセージを表示する（Ｓ１４２）。
【００５７】
図１５は、実施形態に係る印刷可否判断部２１２による１パス印刷可否判断処理を例示するフローチャートである。印刷可否判断部２１２は、印刷装置２Ａ，２Ｂのデバイス情報１１１と、設定情報に含まれる印刷順序３５１とを取得する（Ｓ１００１）。印刷可否判断部２１２は、デバイス情報１１１（位置関係欄１２４の内容）に基づいて、特色に対応するプロセスユニット番号を調べる（Ｓ１００２）。
【００５８】
例えば、図８に示す第１の印刷装置２Ａのデバイス情報１１１においては、特色（Ｗ）に対応するプロセスユニット番号は５であり、図９に示す第２の印刷装置２Ｂのデバイス情報１１１においては、特色に対応するプロセスユニット番号は１である。プロセスユニット番号は、その数が小さいほど、対応するプロセスユニット２１（２１Ａ〜２１Ｄ），２２が用紙の搬送方向上流側に配置されていることを示している。本実施形態においては、４色の通常色トナー（ＣＭＹＫ）及び１色の特色トナー（Ｗ）が用いられるため、プロセスユニット番号は１〜５の範囲で割り当てられる。
【００５９】
特色に対応するプロセスユニット番号が１である場合（Ｓ１００２：１）、すなわち特色プロセスユニット２２が最も上流側に配置されている場合、印刷可否判断部２１２は、印刷設定に含まれている印刷順序に基づいて、特色先刷りが設定されているか否か、すなわち特色印刷が通常印刷より前に行われるように設定されているか否かを判断する（Ｓ１００３）。印刷可否判断部２１２は、特色先刷りが設定されている場合（Ｓ１００３：Ｙｅｓ）、１パス印刷可能と判断し（Ｓ１００４）、特色先刷りが設定されていない場合（Ｓ１００３：Ｎｏ）、１パス印刷不可能と判断する（Ｓ１００５）。
【００６０】
特色に対応するプロセスユニット番号が５である場合（Ｓ１００２：５）、すなわち特色プロセスユニット２２が最も下流側に配置されている場合、印刷可否判断部２１２は、印刷設定に含まれている印刷順序に基づいて、特色後刷りが設定されているか否か、すなわち特色印刷が通常印刷より後に行われるように設定されているか否かを判断する（Ｓ１００６）。印刷可否判断部２１２は、特色後刷りが設定されている場合（Ｓ１００６：Ｙｅｓ）、１パス印刷可能と判断し（Ｓ１００４）、特色後刷りが設定されていない場合（Ｓ１００６：Ｎｏ）、１パス印刷不可能と判断する（Ｓ１００７）。
【００６１】
特色に対応するプロセスユニット番号が１，５のどちらでもない場合（Ｓ１００２：１，５以外）、出力先の印刷装置２Ａ，２Ｂは特色印刷を行う能力を持たないか、又は通常印刷の前後で特色印刷を行う能力を持たないと推定されるため、印刷可否判断部２１２は、１パス印刷不可能と判断する（Ｓ１００７）。
【００６２】
図１６は、実施形態に係るプリンタドライバ２０１が印刷装置２Ａ，２Ｂに印刷ジョブを送信するまでの処理を例示するシーケンス図である。ユーザが情報処理装置３のユーザＩ／Ｆ３６（印刷設定画面３０１の複数パス可否設定部３１４）を介して２パス印刷の可否を設定する操作を行うと（Ｓ２０１）、設定部２１１は、２パス印刷の可否を示す２パス印刷可否情報を印刷設定データベース２１９に保存する（Ｓ２０２）。
【００６３】
その後、ユーザが情報処理装置３のユーザＩ／Ｆ３６を介して印刷開始を指示すると（Ｓ２１１）、設定部２１１は、印刷設定データベース２１９から２パス印刷可否情報を取得する（Ｓ２１２）。
【００６４】
２パス印刷が「否」である場合、設定部２１１は、印刷ジョブ出力部２１６に対して１パス印刷を実行するための印刷ジョブを出力するように要求する（Ｓ２２１）。当該要求を受信した印刷ジョブ出力部２１６は、ＣＭＹＫを用いた通常印刷とＷを用いた特色印刷とを１パス印刷で実行するための印刷ジョブの生成を開始し（Ｓ２２２）、ジョブチケット生成部２１５に対してジョブチケットを生成するように要求する（Ｓ２２３）。このとき、印刷ジョブ出力部２１６は、ジョブ順序指定が「なし」である旨の引数を用いて要求を行う。ジョブ順序指定とは、複数パス印刷を行う場合に、パス毎にジョブの内容を指定する情報である。ここでは１パス印刷が行われるため、ジョブ順序指定は「なし」となる。当該要求を受信したジョブチケット生成部２１５は、印刷設定データベース２１９から印刷設定を取得し、印刷設定の内容に対応するジョブチケットを生成する（Ｓ２２４）。印刷ジョブ出力部２１６は、生成されたジョブチケットに基づいて印刷ジョブを生成し、出力先の印刷装置２Ａ，２Ｂに送信する（Ｓ２２５）。
【００６５】
２パス印刷が「可」である場合、設定部２１１は、印刷ジョブ出力部２１６に対して２パス印刷を実行するための印刷ジョブを出力するように要求する（Ｓ２３１）。当該要求を受信した印刷ジョブ出力部２１６は、１ジョブ目（１パス目）及び２ジョブ目（２パス目）で実行する各ジョブの種類を判定するジョブ種類判定を開始する（Ｓ２３２）。印刷ジョブ出力部２１６は、印刷設定データベース２１９から印刷順序３５１を取得し（Ｓ２３３）、印刷順「１」に対応するトナー種類（図１３に示す例では「Ｗ」）を用いた印刷（図１３に示す例では特色印刷）を１ジョブ目で実行するジョブであると判定し、印刷順「２」に対応するトナー種類（図１３に示す例では「ＣＭＹＫ」）を用いた印刷（図１３に示す例では通常印刷）を２ジョブ目で実行するジョブであると判定する。
【００６６】
印刷ジョブ出力部２１６は、先ず１ジョブ目で実行するジョブの印刷ジョブの生成を開始する（Ｓ２３４）。印刷ジョブ出力部２１６は、ジョブチケット生成部２１５に対して１ジョブ目で実行するジョブに対応するジョブチケットの生成を要求する（Ｓ２３５）。このとき、印刷ジョブ出力部２１６は、ジョブ順序指定が「１ジョブ目」であり、トナー種類がＣＭＹＫ又はＷ（図１３に示す例ではＷ）であることを示す引数を用いて要求を行う。当該要求を受信したジョブチケット生成部２１５は、印刷設定データベース２１９から印刷設定を取得し、１ジョブ目で実行するジョブに対応するジョブチケットを生成する（Ｓ２３６）。その後、印刷ジョブ出力部２１６は、ＰＤＬデータをコピーし（Ｓ２３７）、２ジョブ目で使用するＰＤＬデータを一時的に保持する。その後、印刷ジョブ出力部２１６は、生成されたジョブチケットに基づいて１ジョブ目の印刷ジョブを生成し、出力先の印刷装置２Ａ，２Ｂに通常モードで送信する（Ｓ２３８）。通常モードで送信された印刷ジョブは、出力先の印刷装置２Ａ，２Ｂに受信されるとすぐに実行される。
【００６７】
その後、印刷ジョブ出力部２１６は、上記ジョブ種類判定において判定された２ジョブ目で実行するジョブの印刷ジョブの生成を開始する（Ｓ２３９）。印刷ジョブ出力部２１６は、ジョブチケット生成部２１５に対して２ジョブ目で実行するジョブに対応するジョブチケットの生成を要求する（Ｓ２４０）。このとき、印刷ジョブ出力部２１６は、ジョブ順序指定が「２ジョブ目」であり、トナー種類がＣＭＹＫ又はＷ（図１３に示す例ではＣＭＹＫ）であることを示す引数を用いて要求を行う。当該要求を受信したジョブチケット生成部２１５は、印刷設定データベース２１９から印刷設定を取得し、２ジョブ目で実行するジョブに対応するジョブチケットを生成する（Ｓ２４１）。その後、印刷ジョブ出力部２１６は、一時的に保持されていたＰＤＬデータのコピーを取得し（Ｓ２４２）、生成されたジョブチケットに基づいて２ジョブ目の印刷ジョブを生成し、出力先の印刷装置２Ａ，２Ｂに保留モードで送信する（Ｓ２４３）。
【００６８】
保留モードで送信された印刷ジョブは、出力先の印刷装置２Ａ，２Ｂに受信された後、ユーザにより所定の操作（例えば印刷装置２Ａ，２ＢのユーザＩ／Ｆ１６に対する操作等）がなされるまでその実行が保留される。２パス印刷の場合、１パス目が終了した後にユーザが用紙を給紙ユニット１７に再セットする必要がある場合がある。そのため、複数パス印刷を実行する場合、２パス目以降の印刷はユーザの指示を待って開始されることが好ましい。なお、２パス目以降におけるユーザによる用紙の再セットが不要な印刷装置、例えば１パス終了後に用紙が給紙ユニットへ自動的に搬送される印刷装置等を用いる場合には、２パス目以降においても通常モードを適用することが可能である。
【００６９】
図１７は、実施形態に係る印刷ジョブ出力部２１６によるジョブ種類判定処理を例示するフローチャートである。印刷ジョブ出力部２１６は、印刷情報データベース２１９から対象となる印刷設定情報に含まれる印刷順序３５１を示す情報を取得する（Ｓ２００１）。印刷ジョブ出力部２１６は、取得した印刷順序３５１に基づいて、特色印刷が通常印刷より先に行われるように設定されているか否かを判定する（Ｓ２００２）。特色印刷が先に行われるように設定されている場合（Ｓ２００２：Ｙｅｓ）、印刷ジョブ出力部２１６は、１ジョブ目で実行されるジョブは特色印刷であると判断し（Ｓ２００３）、２ジョブ目で実行されるジョブは通常印刷であると判断する（Ｓ２００４）。特色印刷が先に行われるように設定されていない場合（Ｓ２００２：Ｎｏ）、印刷ジョブ出力部２１６は、１ジョブ目で実行されるジョブは通常印刷であると判断し（Ｓ２００５）、２ジョブ目で実行されるジョブは特色印刷であると判断する（Ｓ２００６）。
【００７０】
図１８は、実施形態に係るジョブチケット生成部２１５によるジョブチケット生成処理を例示するフローチャートである。ジョブチケット生成部２１５は、印刷設定データベース２１９から対象となる印刷設定の現在値を取得する（Ｓ３００１）。ジョブチケット生成部２１５は、印刷ジョブ出力部２１６からジョブチケット生成要求（Ｓ２２３，Ｓ２３５，Ｓ２４０）の引数が示す「ジョブ順序指定」及び「トナー種類」を確認する（Ｓ３００２）。
【００７１】
ジョブチケット生成部２１５は、ジョブ順序指定の有無（「なし」であるか否か）を判定し（Ｓ３００３）、ジョブ順序指定がない（「なし」である）場合（Ｓ３００３：Ｎｏ）、取得された印刷設定の現在値に基づいてジョブチケットを生成する（Ｓ３００９）。ジョブ順序指定がある場合（Ｓ３００３：Ｙｅｓ）、ジョブチケット生成部２１５は、ジョブ順序指定が「１ジョブ目」であるか否かを判定する（Ｓ３００４）。ジョブ順序指定が「１ジョブ目」である場合（Ｓ３００４：Ｙｅｓ）、ジョブチケット生成部２１５は、後処理関連の設定値をＯＦＦに設定（フィニッシャ１９のステープル機能、パンチ機能等の実行を禁止）した後（Ｓ３００５）、トナー種類は特色（Ｗ）か否かを判定する（Ｓ３００６）。ジョブ順序指定が「１ジョブ目」でない場合（Ｓ３００４：Ｎｏ）、ステップＳ３００５を実行せずにステップＳ３００６を実行する。
【００７２】
トナー種類が特色である場合（Ｓ３００６：Ｙｅｓ）、ジョブチケット生成部２１５は、分版印刷の設定値を「特色＝ＯＮ」且つ「通常色＝ＯＦＦ」に設定し（Ｓ３００７）、当該分版印刷の設定値等に基づいてジョブチケットを生成する（Ｓ３００９）。トナー種類が特色でない場合（Ｓ３００６：Ｎｏ）、ジョブチケット生成部２１５は、分版印刷の設定値を「特色＝ＯＦＦ」且つ「通常色＝ＯＮ」に設定し（Ｓ３００８）、当該分版印刷の設定値等に基づいてジョブチケットを生成する（Ｓ３００９）。
【００７３】
図１９は、実施形態に係る分版印刷設定画面４０１を例示する図である。分版印刷設定画面４０１は、設定部２１１により情報処理装置３のディスプレイに表示されるＧＵＩの例である。分版印刷設定画面４０１には、通常色設定部４１１及び特色設定部４１２が設けられている。通常色設定部４１１は、通常色（本例ではＣＭＹＫ）の色毎に印刷する／しないを指定できるように構成されている。特色設定部４１２は、特色について印刷する／しないを指定できるように構成されている。特色が複数存在する場合（例えば、白色、透明色、光沢色等が存在する場合）には、通常色と同様に、色毎に印刷する／しないを指定できるように構成されてもよい。
【００７４】
図２０は、実施形態に係る分版印刷設定情報５０１のデータ構成を例示する図である。分版印刷設定情報５０１は、色（ＣＭＹＫ，Ｗ）と、印刷する／しないを示すパラメータ（ＯＮ／ＯＦＦ）と、効果とが対応づけられて構成されている。
【００７５】
上記印刷システム１の機能を実現するプログラムは、インストール可能な形式又は実行可能な形式のファイルでＣＤ−ＲＯＭ、メモリカード、ＣＤ−Ｒ及びＤＶＤ（Digital  Versatile  Disk）等のコンピュータで読み取り可能な記憶媒体に記憶されてコンピュータ・プログラム・プロダクトとして提供される。
【００７６】
また、プログラムをインターネット等のネットワーク４に接続されたコンピュータ上に格納し、ネットワーク４経由でダウンロードさせることにより提供するように構成してもよい。また、プログラムをダウンロードさせずにネットワーク４経由で提供するように構成してもよい。また、プログラムを情報処理装置３の記憶装置（ＲＯＭ３３、ＨＤＤ３４等）及び印刷装置２Ａ，２Ｂの記憶装置（ＲＯＭ１３、不揮発性メモリ１４等）に予め組み込んで提供するように構成してもよい。また、プログラムは印刷システム１に含まれる機能部のうちプログラムにより実現可能な機能を含むモジュール構成となっていてもよい。プログラムにより実現される機能は、記憶媒体からプログラムを読み出して実行することにより主記憶装置（ＲＡＭ１２，３２等）にロードされる。すなわち、プログラムにより実現される機能は主記憶装置上に生成される。
【００７７】
上記実施形態によれば、各印刷装置２Ａ，２Ｂのデバイス情報１１１に基づいて、ユーザが設定した印刷順序を１パス印刷により実行可能か否かが判断され、ユーザに通知される。これにより、ユーザは出力先の印刷装置２Ａ，２Ｂのプロセスユニット２１，２２の位置関係を把握していない場合であっても、ユーザの意図に沿った適切な印刷設定を行うことが可能となり、誤印刷を防止することが可能となる。
【００７８】
以上、本発明の実施形態を説明したが、上記実施形態は例として提示したものであり、発明の範囲を限定することを意図するものではない。この新規な実施形態はその他の様々な形態で実施されることが可能であり、発明の要旨を逸脱しない範囲で種々の省略、置き換え、変更、及び組み合わせを行うことができる。この実施形態及びその変形は発明の範囲及び要旨に含まれるとともに、特許請求の範囲に記載された発明とその均等の範囲に含まれる。
【符号の説明】
【００７９】
１  印刷システム
２Ａ，２Ｂ  印刷装置
３  情報処理装置（印刷制御装置）
４  ネットワーク
１１  ＣＰＵ
１２  ＲＡＭ
１３  ＲＯＭ
１４  不揮発性メモリ
１５  通信Ｉ／Ｆ
１６  ユーザＩ／Ｆ
１７  給紙ユニット
１８  排紙ユニット
１９  フィニッシャ
２１  通常プロセスユニット
２１Ａ  Ｃプロセスユニット
２１Ｂ  Ｍプロセスユニット
２１Ｃ  Ｙプロセスユニット
２１Ｄ  Ｋプロセスユニット
２２  特色プロセスユニット
３１  ＣＰＵ
３２  ＲＡＭ
３３  ＲＯＭ
３４  ＨＤＤ
３５  通信Ｉ／Ｆ
３６  ユーザＩ／Ｆ
１０１  デバイス情報管理部
１０２  情報通信部
１０３  印刷処理部
１１１  デバイス情報
１２１  モデル名欄
１２２  フィニッシャ機能欄
１２３  トナー種類欄
１２４  位置関係欄
１２５  入力情報欄
２０１  プリンタドライバ
２１１  設定部
２１２  印刷可否判断部
２１３  代替デバイス判断部
２１４  デバイス情報取得部
２１５  ジョブチケット生成部
２１６  印刷ジョブ出力部
２１９  印刷設定データベース
２２１  印刷順序設定部
２２２  通知部
３０１  印刷設定画面
３１１  印刷順序設定部
３１２  プレビュー部
３１３  ガイドメッセージ表示部
３１４  複数パス可否設定部
３２１〜３２３，３３１  メッセージ
３５１  印刷順序
４０１  分版印刷設定画面
４１１  通常色設定部
４１２  特色設定部
５０１  分版印刷設定情報
【先行技術文献】
【特許文献】
【００８０】
【特許文献１】特開２０１４−０２１８７６号公報
【図１】
2019078846.tif 000003
【図２】
2019078846.tif 000004
【図３】
2019078846.tif 000005
【図４】
2019078846.tif 000006
【図５】
2019078846.tif 000007
【図６】
2019078846.tif 000008
【図７】
2019078846.tif 000009
【図８】
2019078846.tif 000010
【図９】
2019078846.tif 000011
【図１０】
2019078846.tif 000012
【図１１】
2019078846.tif 000013
【図１２】
2019078846.tif 000014
【図１３】
2019078846.tif 000015
【図１４】
2019078846.tif 000016
【図１５】
2019078846.tif 000017
【図１６】
2019078846.tif 000018
【図１７】
2019078846.tif 000019
【図１８】
2019078846.tif 000020
【図１９】
2019078846.tif 000021
【図２０】
2019078846.tif 000022